(57)【特許請求の範囲】
【請求項１】
遊具装置本体と回転基体とを備えた回転遊具装置において、
前記遊具装置本体が、
遊戯領域を仕切る仕切部材及び入口部材で囲まれる遊戯室と、
前記遊戯室内に備えられ、前記遊戯室内の空気を対流させるための送風手段と、
前記仕切部材及び前記入口部材の下方に、前記送風手段により生ずる気流を巡回させるための気流壁とを備え、
前記遊戯室に配置された複数の風船が前記送風手段により乱舞することを特徴とする回転遊具装置。
【請求項２】
前記回転基体が、中心軸を揃えて下部基体と、上部回転体を積層して構成され、
前記下部基体が、
下部基板と、
前記下部基板上に配置され、前記上部回転体を回転駆動可能な駆動モータと、
前記中心軸周りに前記上部回転体が回転可能な位置に設けられ、前記上部回転体を支
持するキャスタとを備える、請求項1に記載の回転遊具装置。
【請求項３】
前記回転基体が、中心軸を揃えて下部基体と、上部回転体を積層して構成され、
前記下部基体が、
下部基板と、
前記下部基板上に配置され、前記上部回転体を回転駆動可能な駆動モータと、
前記駆動モータにより回転される回転軸に軸支されたクランクと、
前記中心軸周りに前記上部回転体が回転可能な位置に設けられ、前記上部回転体を支
持するキャスタとを備え、
前記回転基体とともに、前記遊具装置本体が偏心して回転する請求項１に記載の回転遊
具装置。
【請求項４】
前記キャスタが、車輪を上にした状態で前記下部基板に配置され、当該キャスタの車輪
で前記上部回転体を支持する、請求項２または３に記載の回転遊具装置。
【請求項５】
前記遊具装置本体を構成する遊戯室上部から、ユーザが掴まることが可能な把持部材を
垂下した、請求項１から３いずれか一項に記載の回転遊具装置。
【請求項６】
前記回転遊具装置に電力を供給するスリップリングを更に備える、請求項２から５いずれか一項に記載の回転遊具装置。
【請求項７】
前記駆動モータの回転軸に装着されて、回転軸の駆動トルクが予め定められた値以内に
なるように制御するトルクリミッタを更に備える、請求項２から４いずれか一項に記載の
回転遊具装置。
【請求項８】
前記遊具装置本体が、傾斜した状態で前記回転基体に配置される、請求項１から７いず
れか一項に記載の回転遊具装置。
【発明の詳細な説明】
【技術分野】
【０００１】
本発明は、回転遊具に関し、特に風船等が乱舞し、複数人のユーザが一緒に遊戯可能な回転遊具装置に関する。
【背景技術】
【０００２】
現在、何人かのユーザ（子供等を想定している）が一緒に遊ぶことを前提とする回転遊具が開発されている。例えば、下記特許文献１には、複数のユーザが遊戯する砂場が開示され、特許文献２にはイベント等で使用されるエアドームが開示されている。上記の技術の他、一般に複数人のユーザが一緒に遊戯することを前提に開発された遊具は、遊園地や、テーマパーク等で多く見られる。
【先行技術文献】
【特許文献】
【０００３】
【特許文献１】特開平１０−８５４５９号公報
【特許文献２】特開２０００−２０４７９５号公報
【発明の概要】
【発明が解決しようとする課題】
【０００４】
本発明のユーザとして想定している子供は、動くものに大変興味をひきやすく、上記砂場や、エアドームを回転させることができれば、子供の興味を長く持続させることが可能となる。しかしながら、上記従来技術の遊具は回転させるという概念がなかった。複数のユーザが一緒に遊戯するために、当該ユーザを含めた遊具全体の加重を支えながら回転するためには、当該荷重を支えるための別の機構が必要となり、遊具の構造が複雑になるからである。複雑な機構の遊具は故障も多くなり、メンテナンスの手間を考慮すると、上記のような複数人のユーザが一緒に遊戯（ユーザが走り回ったり、ジャンプしたりすることを称す）するような構造の遊具については、回転させないというのが、上記遊具を製作するメーカの技術常識であった。【０００５】
しかしながら、上記のように、子供は動くものに大変興味をひきやすく、子供の興味を持続させるためには上記遊具が回転してほしいという保護者等の要請が多かった。本発明の目的は、複数のユーザが一緒に遊戯するような遊具装置において、簡単な構造によって、荷重に強い回転遊具装置を提供することにある。
【課題を解決するための手段】
【０００６】
上記課題を達成するための本発明は、遊具装置本体と回転基体とを備えた回転遊具装置を前提とする。そして、遊具装置本体は、遊戯室と、気密性部材と、送風手段とを備える。遊戯室は、遊戯領域を仕切る仕切部材で囲まれた領域であり、気密性部材は、遊戯室の壁部を構成する仕切部材の下方に設けられる。そして、遊戯室内の空気を対流させるための送風手段を遊戯室内に備え、遊戯室に配置された複数の風船が送風手段により乱舞することを特徴とする。上記構成を採用することで、複数のユーザが同時に遊戯可能な中規模の遊具設備であっても回転をさせることが可能となる。【０００７】
上記の構成において回転基体が、中心軸を揃えて下部基体と、上部回転体を積層して構成されることが望ましい。そして、下部基体が、下部基板と、当該下部基板上に配置される駆動モータと、キャスタとを備える。駆動モータは、上部回転体を回転駆動可能なモータであり、キャスタは、上部回転体を支持し、中心軸周りに上部回転体が回転可能な位置に設けられる。当該キャスタは下部基体上の所定円周上に設けられることが望ましい。【０００８】
中心軸を揃えて下部基体と、上部回転体を積層して構成される回転基体を以下のように中心軸から偏心して回転する構成とすることも可能である。すなわち、下部基体が、下部基板と、当該下部基板上に配置される駆動モータと、キャスタとを備える。駆動モータは、上部回転体を回転駆動可能なモータであり、駆動モータにより回転される回転軸にクランクが軸支された個性を採用することが可能である。そして、キャスタが、上部回転体を支持し、中心軸周りに上部回転体が回転可能な位置に設けられることで、回転基体とともに、遊具装置本体が偏心して回転することになる。当該キャスタは下部基体上の所定円周上に設けられることが望ましい。【０００９】
上記キャスタが遊具装置本体の荷重を支えることで、上下方向の荷重を上記キャスタが支えることになる。従って、複数のユーザが同時に遊戯する遊戯設備を回転させることが可能となる。【００１０】
上記の構成において（クランクが軸支された構成を含む）、上記キャスタが、車輪を上にした状態で下部基板に配置され、当該キャスタの車輪で上部回転体を支持することが望ましい。キャスタの車輪を上にして配置することで、回転が滑らかな回転基体を構成できる。【００１１】
上記の構成において、遊具装置本体を構成する遊戯室の上部から、ユーザが掴まることが可能な把持部材を垂下させる構成を採用することができる。更に、回転遊具に電力を供給するスリップリングを備えることが望ましい。回転遊具が回転しているとしても、回転遊具に備えたＬＥＤ等の電気装飾部材に電力を供給することが可能となる。更に、駆動モータの回転軸に装着されて、回転軸の駆動トルクが予め定められた値以内になるように制御するトルクリミッタを備えてもよい。【００１２】
遊具装置本体が、傾斜した状態で回転基体に配置される構成を採用することも可能である。回転基体に傾斜した状態で遊具装置本体が配置されることで、簡単な構成により、複雑な回転を生じさせることが可能となる。
【発明の効果】
【００１３】
本発明は、遊具装置本体と回転基体とを備えた回転遊具を前提とする。遊具装置本体は、遊戯室と、気密性部材と、送風手段とを備える。上記遊戯室は、遊戯領域を仕切る仕切部材で囲まれた領域であり、気密性部材は、遊戯室の壁部を構成する仕切部材の下方に設けられる。そして、遊戯室内の空気を対流させるための送風手段を遊戯室内に備え、遊戯室に配置された複数の風船が送風手段により乱舞することを特徴とする。上記の構成を備えることで、遊戯室内の風船が乱舞しながら、遊戯室全体が回転する。従って、ユーザの興味を更に持続させることのできる遊具を提供することが可能となる。
【図面の簡単な説明】
【００１４】
【図１】本発明の実施形態に係る回転遊具装置の全体構成を示す概念図である。
【図２】本発明の実施形態に係る回転遊具装置を上面視したときの全体構成を示す概念図である。
【図３】本発明の実施形態に係る回転遊具装置に備える回転基体の全体構成を示す概念図である。
【図４】本発明の実施形態に係る回転遊具装置に備える回転基体の全体構成を示す概念図である。
【図５】本発明の実施形態に係る回転遊具装置の全体構成を示す概念図である。
【図６】本発明の実施形態に係る回転遊具に備えられる回転基体の全体構成を示す概念図である。
【図７】本発明の実施形態に係る回転遊具装置に備える回転基体の全体構成を示す概念図である。
【発明を実施するための形態】
【００１５】
（実施の形態１）
（遊具装置本体）
以下に、本発明の回転遊具装置１００について図面を参照して説明する。図１は、本発明の回転遊具装置１００の全体構成を示す概略模式図であり、図２、本発明の回転遊具装置１００を上方から見たときの概略模式図である。更に、図３から図７は本発明の回転遊具装置１００に備えられる回転基体２００若しくは当該回転基体２００を備えた回転遊具装置１００を説明する模式図である。ただし、本発明に直接には関係しない各部の詳細は省略している。なお、図４から図６に記載した回転基体２００についての説明は後述する。
【００１６】
すなわち、図１に示すように、本発明の回転遊具装置１００は、遊具装置本体１１０と、回転基体２００を備える。上記遊具装置本体１１０は、複数のブロア１６０を有する遊戯室を備える。本実施例では、以下のようにして、図２に示す上面視６角形状の遊具装置本体１１０を形成した。なお、以下ではユーザ（幼児等を想定している）が遊戯する部屋を遊戯室と称する。
【００１７】
まず、後述の回転基体２００上に６角形を形成する位置に支柱１１８を立設する。当該各支柱１１８の内、隣同士の支柱１１８の上端同士を連結することで、遊戯室枠体１２０を形成する。あるいは、平面状の６角形状の枠体を予め形成しておき、上記各支柱１１８の上端と、当該６角形枠体のいずれか一の頂点付近同士とを結合し、上記遊戯室枠体１２０を形成する構成を採用することができる。
【００１８】
上記のように形成された遊戯室枠体１２０に、遊戯室の壁面として透光性の素材で形成されたシート１２２を張る。このとき、上面視６角形状の上記遊戯室枠体１２０の５側面（入口となる部分を除く）、及び、上面の６箇所の側面に、上記透光性素材のシート１２２を張る構成を採用する。
【００１９】
上記透光性素材のシート１２２で形成された壁面には所定の空気孔が形成される。本発明の回転遊具装置１００は、上記遊戯室内部に風船１６２（空気が充填された状態の風船を言う。以下同じ。）を多数配置し、当該風船１６２が旋回することを前提としている。従って、空気を対流させるために、空気孔が必要である。本実施例では、菱形の空気孔部１２４を形成した。子供が好むようにキャラクタ等の形状を模した空気孔部１２４を形成しても構わない。なお、図１に示すように、本実施例では、空気孔部１２４にメッシュを設けた。
【００２０】
入口として形成される箇所には、入口部材を備える。例えば、本実施例では、複数の紐１２６を入口部材として、上記入口の上端から垂下させる。ユーザは、上記紐１２６を左右に開くことで遊具装置本体１１０に入ることになる。その他の入口部材として、透光性部材で形成したカーテンを上記入口の上端から垂下させる構成を採用しても構わない。なお、上記透光性素材のシート１２２及び入口部材を含めた部材が本発明の仕切部材に相当する。更に、上記遊戯室枠体１２０に設けられた上記仕切部材により囲まれた部屋が本発明の遊戯室に相当し、遊戯室内の領域が本発明の遊戯領域に相当することになる。
【００２１】
上記のように形成された壁面及び入口に、後述の送風手段により生ずる気流を巡回させるための気流壁を設ける。本実施例では、気密性部材１３０で壁体を形成し、当該壁体を上記壁面及び，入口の下部に備える構成を採用する。その他、気密性素材のシートを上記
壁面及び、入口の下部に張る構成を採用しても構わない。上記気流壁を遊戯室の下部に備えることで、後述の送風手段により生ずる気流が当該気流壁により衝突し、上昇気流を生じさせることになる。上記入口にステップ１５０を設ける構成を採用してもよい。風船１６２を十分撹拌させるためには遊戯室の側面すべてが気密性部材１３０で覆われていることが望ましい。そのためステップ１５０を設けることにより、ユーザは、入口に設けられた気密性部材１３０を跨いで出入りすることが可能となる。
【００２２】
上記のように、壁面及び入口が形成された遊戯室に、送風手段が備えられる。図２に示すように、本実施例では送風手段として、ブロワ１６０を遊戯室内下部に設ける。上記ブロワ１６０から送られる空気が衝突するような位置に各ブロワ１６０が配置される。例えば、図２に示すように遊具装置本体１１０を上面視したとき、各ブロワ１６０が隣同士に配置されない状態で、ブロワ１６０を配置することができる。あるいは、一対のブロワ１６０が対向するように各ブロワ１６０を配置する構成を採用することができる。なお、各ブロア１６０は空気送出口の部分が開口された状態でその全体が被覆される。例えば、ウレタン等の弾性部材によりブロワ１６０全体が被覆される構成を採用することができる。更に、上記ブロワ１６０の吸気口から空気が送入可能なように、当該吸気口部分は開口されることは言うまでもない。本実施例では、遊具装置本体１１０外部の下部に開口１３２を形成し、当該開口１３２を介してブロワ１６０の吸気口へ空気が送入される構成を採用する。
【００２３】
上記のように形成された遊具装置本体１１０には、ユーザが掴まることのできる把持部材１４０が備えられる。本実施例では、把持部材１４０として上記遊戯室の上部からボールを垂下する構成を採用した。例えば、上記遊戯室上部の頂点付近に屈曲部材の一端を回転自在に配置し、当該屈曲部材の他端から上記ボールを吊り下げ部材で吊り下げる構成を採用することができる。
【００２４】
（回転基体）
次に、本発明の回転遊具装置１００に備えられる回転基体２００について、図面を参照して説明する。図３から図７は、回転基体２００の概念模式図である。ただし、本発明に直接には関係しない各部の詳細は省略している。上記回転基体２００は、上部回転体２１０と、下部基体２２０とを備える。図３（Ａ）に示すように、上部回転体２１０は、円形状の基板であるが、回転に支障がなければ矩形や多角形形状であっても構わない。
【００２５】
図３（Ｂ）及び、図４に示すように、下部基体２２０は中央歯車２２７と、当該中央歯車２２７を駆動する駆動モータ２２６と、キャスタ２２４とを備える。まず、下部基体２２０の下部基板２２１（本発明では円形形状を採用したがその形状は任意である）を上面視したとき、中心となる位置に、中央歯車２２７を配置する。もちろん上記中央歯車２２７の回転軸と上記下部基板２２１の中心軸を一致させるように両者を固定した状態で配置する。そして、上記中央歯車２２７を回転駆動可能な位置に駆動モータ２２６を配置する。中央歯車２２７が駆動モータ２２６によって回転可能なように、中央歯車２２７と駆動モータ２２６の回転軸とに対してローラーチェーンが巻き掛けられ、当該駆動モータ２２６の回転軸が回転すると、上記ローラーチェーンを介して上記中央歯車２２７が回転するように構成してもよい。
【００２６】
更に、上記下部基体２２０には、上記中央歯車２２７及び駆動モータ２２６と同一面上に、複数のキャスタ２２４が配置される。キャスタ２２４は、当該キャスタ２２４の車輪部分を上にして下部基体に配置される構成を採用した。上記複数のキャスタ２２４は、対向するキャスタ２２４が、下部基体２２０の中心に関して対称となる位置に配置され、隣接するキャスタ２２４間が等間隔になるように配置する。本実施例では、キャスタ２２４の車輪部分を上にする構成を採用した。キャスタ２２４の車輪が上向きになっていること
で、当該キャスタ２２４が、回転基体２００内の配線等を踏むことがない。もちろん、図３（Ａ）若しくは図３（Ｂ）に示したように、上記キャスタの車輪部分は上であってもよいし、当該車輪部分を下にして配置する構成を採用しても構わない。
【００２７】
後述のように、上部回転体２１０及び、下部基体２２０を組み合わせた場合、キャスタ２２４が上部回転体２１０に接触する位置に円環形状のレール（図示しない）を設けてもよい。キャスタ２２４は当該レールに接触しながら回転することで、当該キャスタ２２４の回転に応じて上部回転体２１０が回転することになる。従って、本発明では下部基体２２０の上記各キャスタ２２４の車輪が上部回転体２１０を支持する構成となる。なお、上述のように、キャスタの車輪部分を下にする構成を採用しても構わない。
【００２８】
次に、上部回転体２１０と下部基体２２０を組み合わせる。まず、上記キャスタ２２４、中央歯車２２７、駆動モータ２２６が配置された面を上にした状態で、下部基体２２０を床面に配置する。そして、下部基板２２１、上部回転体２１０の中心が重なるように、上記下部基体２２０の上に、上部回転体２１０を積層する。このとき、下部基体２２０の中央歯車２２７が回転すると、上部回転体２１０が回転するように、上記中央歯車２２７を上部回転体２１０に嵌合又は固定することで、本発明の回転遊具装置１００を構成する。なお、メンテナンスのために、上記中央歯車２２７が、上部回転体２１０に取り外し可能に嵌合されることが望ましい。上記上部回転体２１０の形状は、上記遊具装置本体１１０を配置することができる形状であればよく、矩形状、多角形状、円形状等多種の形状の基板を取り付けることができる。図５は、上記回転基体２００上に遊戯室を配置した回転遊具装置１００を示す図である。
【００２９】
なお、上記駆動モータ２２６は図示しない制御部によって回転数が制御されるように構成されてもよい。制御部には、予め最適な回転数を記憶しており、当該回転数に基づいて上記駆動モータ２２６が回転駆動される構成が採用できる。駆動モータ２２６の作動をさせるためのスイッチ（図示せず）を回転基体２００に設け、当該スイッチにより駆動モータ２２６の回転速度を制御可能となるように構成しても構わない。
【００３０】
（実施の形態２）
実施の形態１に使用した回転基体２００を以下のように構成することにより偏心して回転する回転遊具装置１００を構成することが可能となる。なお、後述の偏心軸以外については実施の形態１で説明した回転遊具装置１００と同じ構成を採用する。従って偏心軸以外の構成については図示及び説明を省力する。
【００３１】
図６（Ａ）、（Ｂ）及び、（Ｃ）に示すように、駆動モータ２２６の回転軸に後述の偏心軸を用いる。すなわち、上記図６に示すように、駆動モータ２２６の回転軸に対して所定距離ずれた軸とを結ぶ柄からなる偏心軸（例えば、クランク２２８）を上記駆動モータ２２６に備えることで、当該駆動モータの回転軸を所定の範囲ずらすように構成することができる。
【００３２】
すなわち、クランク２２８の一方端は駆動モータ２２６の回転軸と同じ軸上で回転し、クランク２２８の他端は、当該回転軸に対して偏心して回転することになる（回転軸がずれた状態で回転することを意味する）。もちろん、駆動モータ２２６の作動をさせるためのスイッチ（図示せず）が回転基体２００に設けられることは言うまでもない。当該スイッチにより駆動モータ２２６の回転速度が制御可能となるように構成しても構わない。もちろん上記図６に示す回転基体２００は、上部回転体２１０と、下部基体２２０とを備える。そして、上部回転体２１０は、円形状の基板であり、下部基体２２０は、中央歯車２２７と、当該中央歯車２２７を駆動する駆動モータ２２６と、複数のキャスタ２２４とを備え、各キャスタ２２４が上部回転体２１０を支持することは言うまでもない。
【００３３】
上記上部回転体２１０の自転を規制するための規制手段２２９を設けることもできる。当該規制手段２２９は、駆動モータ２２６が配置された下部基板２２１と、上部回転体２１０とを連結する弾性体（ゴムやバネ等が好適に用いられる）である。規制手段２２９は、上部回転体２１０の自転を規制するように構成できれば、その配置方法は任意である。本実施例では、図６（Ｂ）及び、（Ｃ）に示すように、上記下部基板２２１に配置された駆動モータ２２６近傍から、上部回転体２１０の下面に上記規制手段２２９を配置する構成を採用する。上記下部基板２２１から、垂直方向に上記規制手段２２９を配置する構成を採用してもよく、上記下部基板２２１から斜めに配置しても構わない。上記規制手段２２９により、上部回転体２１０が自転を規制されるので、当該上部回転体２１０は、揺動しながら上記駆動モータ２２６の回転軸を中心として回転することになる。
【００３４】
（その他）
実施の形態２では、クランク２２８の一方端（他端は駆動モータ２２６の回転軸に取り付けられる）に上部回転体２１０を水平に取り付ける構成を採用した。これに対して、遊具装置本体を傾斜させた状態で取り付ける構成を採用することができる。
図７には、上部回転体２１０に傾斜板２３０を設けて、遊具装置本体１１０を傾斜した状態で当該上部回転体２１０上に配置する構成を示した。この場合も、駆動モータ２２６の回転軸は実施の形態１で使用した回転軸を使用してもよいし（図７（Ａ）参照）、実施の形態２で使用したクランク２２８を使用しても構わない（図７（Ｂ）参照）。なお、遊具装置本体を傾斜して取り付ける構成以外については、上記実施の形態１及び２と同じであるので、説明及び図示を省略する。
【００３５】
上記回転基体２００（以下、クランク２２８を設けた場合及び設けない場合を含めて説明する。）に備えた駆動モータ２２６の過負荷を保護する過負荷保護手段（例えば、トルクリミッタ）を上記駆動モータ２２６の回転軸又は、上記クランク２２８に取り付けてもよい。上述のように、駆動モータ２２６の上方には、遊具装置本体１１０が配置されるため、遊戯を望むユーザの体重分の荷重が当該駆動モータ２２６にかかることになる。所定以上の荷重が駆動モータ２２６にかかると、上記過負荷保護手段が、当該荷重を検知し、駆動モータ２２６を空回りさせる構成が採用できる。
【００３６】
すなわち、例えば、駆動モータ２２６の出力軸（回転軸）と中央歯車２２７との間には過剰なトルクから駆動モータ２２６を保護するトルクリミッタと、回転トルクを検出するトルクセンサとが設けられる。なお、トルクセンサとしては、接触式のトルクセンサを用いてもよく、あるいはまた非接触式のトルクセンサを用いるようにしてもよい。上記トルクセンサによって検出されるトルクが予想範囲を超えた場合には、トルクリミッタにより、駆動モータ２２６からの回転動力が中央歯車２２７に伝達されないようになっている。
【００３７】
若しくは、インバータ制御により、上記荷重が係ることにより、駆動モータに所定以上の電流が流れると、当該駆動モータへの電流を遮断する構成を採用しても構わない。
更に、回転遊具装置１００にスリップリング（図示しない）を設け、このスリップリングによって回転遊具装置１００の電飾部材（例えば、装置外面に設けられるＬＥＤリボン）に電力を供給するようにしてもよい。電力供給手段としてスリップリングを使用することで、回転遊具装置１００が回転しても、配線のねじれ等がなく、給電が可能となる。
【００３８】
本実施例では遊戯室を支柱で形成したが、以下の様な弾性ユニットで遊戯室を形成しても構わない。すなわち、弾性シート等で弾性ユニットを複数形成し、当該複数の弾性ユニット同士を連結することで上記遊戯室を組み立てる構成を採用することができる。
まず、以下のようにして、当該弾性ユニットを形成する。例えば、所定の弾性シートを溶着して筒状に形成し、上下の開放端を円形の弾性シートで溶着することで弾性ユニット
が形成される。なお、内部に空気が気密に充填可能な構成であれば、弾性ユニットの製造方法は任意である。
【００３９】
そして、上記弾性ユニットを連結する場合、連結しようとする各弾性ユニットの所定の箇所に孔（以下連通孔と称する）を開ける。形成した連通孔同士を接触させるようにして（空気流路が連通すればよく必ずしも連通孔同士を接触させる必要はない。）上記両弾性ユニットを連結する。すなわち、上記連通孔を介して、弾性ユニット内に空気流路が連通されることになる。したがって、外部から一の弾性ユニットに空気が送入されると、空気流路が連通された複数の弾性ユニットに空気を充填させることが可能となる。上記弾性ユニットの連結部材として、接着テープを用いてもよいし、複数の弾性ユニット同士を溶着させる構成を採用しても構わない。複数の弾性ユニットを連結することで本発明の遊戯室を上記弾性ユニットの集合体として構成することが可能となる。
【００４０】
さらに、上記複数の弾性ユニットの内、いずれかの弾性ユニットに、外部から空気を送入するための空気送入口が設けられる。例えば、選択された一の弾性ユニットの所定箇所に孔を形成し、当該孔に、空気送入口として弁体を取り付ける。上記弁体は、所定の方法で上記空気送入口を開閉可能であればその形状材質は問わない。
遊具部材を上記のように複数形成し、当該複数の遊具部材の集合体として本発明の遊戯室を構成することも可能である。例えば、上記遊具部材間には空気流路が連通しないように連結または独立させることで、一の遊具部材に設けた弁体から空気を送入すると独立した他の遊具部材には空気が充填しないように構成することができる。上記のように構成することで、例えば一の遊具部材（本発明の遊戯室の一部を言うことは言うまでもない。）が破損等して、空気の漏れが生じたとしても、破損した遊具部材のみを交換又は修理すればよく、回転遊具装置１００に備えた全ての遊具部材を交換又は修理する必要がない。
【００４１】
上記遊戯室内に、座部用弾性ユニットを配置する構成を採用してもよい。更に、当該座部用弾性ユニットに充填される空気の量を調整することで、遊戯室を構成する弾性ユニットと比較して柔らかくなるように構成することが望ましい。座部として使用する部材（座部用弾性ユニット）を、遊戯室を構成する部材より柔らかく構成することで、当該座部用弾性ユニットに座ったユーザが安定して遊戯をすることが可能となる。
【産業上の利用可能性】
【００４２】
本発明は、遊具装置本体と回転基体とを備えた回転遊具を前提とする。遊具装置本体は、遊戯室と、気密性部材と、送風手段とを備える。上記遊戯室は、遊戯領域を仕切る仕切部材で囲まれた領域であり、気密性部材は、遊戯室の壁部を構成する仕切部材の下方に設けられる。そして、遊戯室内の空気を対流させるための送風手段を遊戯室内に備え、遊戯室に配置された複数の風船が送風手段により乱舞することを特徴とする。上記の構成を備えることで、遊戯室内の風船が乱舞しながら、遊戯室全体が回転する。従って、ユーザの興味を更に持続させることのできる遊具を提供することが可能となり、その産業上の利用可能性は大きい。
【符号の説明】
【００４３】
１００  回転遊具装置
１１０  遊具装置本体
１２０  遊戯室枠体
１２２  透光性素材のシート
１３０  気密性部材
１４０  把持部材
１５０  ステップ
１６０  ブロア
１６２  風船
２００  回転基体
２１０  上部回転体
２２０  下部基体
２２４  キャスタ
２２６  駆動モータ
２２７  中央歯車
２２８  クランク
２３０  傾斜板
【図１】
0005924938.tif 000002
【図２】
0005924938.tif 000003
【図３】
0005924938.tif 000004
【図４】
0005924938.tif 000005
【図５】
0005924938.tif 000006
【図６】
0005924938.tif 000007
【図７】
0005924938.tif 000008